(57)【要約】【課題】バックライト光源の消灯期間に液晶素子の立ち上がりや立ち下がりを完了させる構成において，液晶素子の応答時間が変化しても擬似輪郭（動画ブレ）を防止することのできる液晶表示装置を提供すること。【解決手段】バックライト光源の消灯期間内に液晶パネルにおける一部又は全部の液晶素子の立ち上がりや立ち下がりが終了するように，該液晶素子の応答時間に応じてバックライト光源の間欠点灯処理における消灯期間を制御する。具体的には，液晶素子の過応答（オーバーシュート，アンダーシュート）の程度や表示階調の変化量により変化する液晶素子の応答時間に応じてバックライト光源の消灯期間を制御する。【選択図】図９
2011075800.tif 000002
【特許請求の範囲】
【請求項１】
印加電圧により透過率が変化する複数の液晶素子を有する液晶パネルと，前記液晶パネルを背後から照明するバックライト光源と，前記液晶素子への印加電圧を制御することにより該液晶素子の表示階調を制御する液晶駆動制御手段と，前記バックライト光源を間欠点灯させる間欠点灯処理を実行するバックライト制御手段とを備えてなり，
前記バックライト制御手段が，前記バックライト光源の消灯期間内に前記液晶パネルにおける一部又は全部の前記液晶素子の立ち上がり及び／又は立ち下がりが終了するように，前記液晶駆動制御手段によって表示階調が制御されるときの前記液晶素子の応答時間に応じて前記間欠点灯処理における前記バックライト光源の消灯期間を制御してなることを特徴とする液晶表示装置。
【請求項２】
前記液晶駆動制御手段が，前記液晶素子の表示階調を変化させるとき，前記液晶素子の表示階調の変化方向の過応答が強くなる印加電圧を該液晶素子に印加するものであって，
前記バックライト制御手段が，前記液晶素子の応答時間が変化することになる前記液晶駆動制御手段によって制御される前記液晶素子の表示階調の変化方向の過応答の程度に応じて前記間欠点灯処理における前記バックライト光源の消灯期間を制御するものである請求項１に記載の液晶表示装置。
【請求項３】
前記バックライト制御手段が，前記液晶素子の応答時間が変化することになる前記液晶駆動制御手段によって制御される前記液晶素子の表示階調の前記表示階調の変化量に応じて前記間欠点灯処理における前記バックライト光源の消灯期間を制御するものである請求項１に記載の液晶表示装置。
【請求項４】
前記液晶駆動制御手段が，前記液晶素子の表示階調を変化させるとき，前記液晶素子の表示階調の変化方向の過応答が強くなる印加電圧を該液晶素子に印加するものであって，
前記バックライト制御手段が，前記液晶素子の応答時間が変化することになる前記液晶駆動制御手段によって制御される前記液晶素子の表示階調の変化方向の過応答の程度及び前記表示階調の変化量に応じて前記間欠点灯処理における前記バックライト光源の消灯期間を制御するものである請求項１に記載の液晶表示装置。
【請求項５】
前記過応答の程度及び／又は前記表示階調の変化量と前記間欠点灯処理における前記バックライト光源の消灯期間との関係を定めた消灯期間設定情報が予め記憶された消灯期間設定情報記憶手段を更に備えてなり，
前記バックライト制御手段が，前記消灯期間設定情報記憶手段に記憶された前記消灯期間設定情報と前記過応答の程度及び／又は前記表示階調の変化量とに基づいて前記間欠点灯処理における前記バックライト光源の消灯期間を制御するものである請求項２〜４のいずれかに記載の液晶表示装置。
【請求項６】
前記バックライト光源が，前記液晶パネルの垂直方向における複数の表示領域に対応して並設された複数の光源を含んでなり，
前記バックライト制御手段によって実行される前記間欠点灯処理が，前記複数の光源を順次間欠点灯させるバックライトスキャン処理であり，
前記バックライト制御手段が，前記液晶素子の応答時間に応じて前記バックライトスキャン処理における前記バックライト光源の消灯期間を制御するものである請求項１〜５のいずれかに記載の液晶表示装置。
【発明の詳細な説明】
【技術分野】
【０００１】
本発明は，液晶パネル及びバックライト光源を備える液晶表示装置に関し，特に，液晶パネルの液晶素子の応答時間を考慮してバックライト光源の間欠点灯処理における消灯期間を制御することにより擬似輪郭（動画ブレ）の防止を図る技術に関するものである。
【背景技術】
【０００２】
近年，液晶パネル及びバックライト光源を備えてなる液晶表示装置は，テレビジョン受像機やディスプレイ装置などの用途で広く普及している。液晶表示装置は，液晶パネルの画素ごとに対応する液晶素子各々に印加する電圧によって該液晶素子各々の表示階調（透過率）を調整する。この液晶表示装置では，バックライト光源を常時点灯させるホールド駆動や液晶素子の応答遅延などに起因して動画表示の際に生じる動きぼやけが問題となる。
そのため，従来から，１フレーム期間（１垂直期間）内でバックライト光源を間欠点灯させて擬似的にインパルス駆動に近づけることにより，動画表示の際に生じる動きぼやけを防止する手法が知られている（例えば，特許文献１参照）。
但し，バックライト光源を間欠点灯させる場合，液晶素子の階調遷移時にバックライト光源が点灯していると，その階調遷移が表示されることにより動画ブレが生じるおそれがある。そこで，例えば特許文献２では，バックライト光源の消灯期間に液晶素子の立ち上がり又は立ち下がりを完了させることが提案されている。
さらに，液晶素子の表示階調を変化させるときにオーバーシュート電圧を印加して過応答させ，該液晶素子の応答性を高めることにより，動画表示の際に生じる動きぼやけや多重輪郭を防止する手法が知られている（例えば，特許文献３参照）。これにより，液晶素子に過応答（オーバーシュート）が生じるため，表示階調を急激に変化させて目標階調に迅速に到達させることが可能であり，動画表示の動きぼやけや多重輪郭を防止することができる。
【先行技術文献】
【特許文献】
【０００３】
【特許文献１】特許第３９９４９９７号公報
【特許文献２】特開２００７−８６７０９号公報
【特許文献３】特許第３７１３２０８号公報
【発明の概要】
【発明が解決しようとする課題】
【０００４】
ところで，液晶素子の応答性は，例えば環境温度などによって変化するため，前述のように液晶素子の表示階調の遷移時に生じさせる過応答（オーバーシュート，アンダーシュート）の程度は，例えば環境温度などによって変化させることが望ましい。このとき，液晶素子が目標階調に安定するまでの応答時間は，該液晶素子の表示階調の変化時における過応答の程度によって異なることとなる。
また，映像のフレーム間の表示階調の変化量によっても液晶素子の応答時間は異なる。例えば，表示階調の変化量が大きいほど液晶素子の応答時間は長くなり，表示階調の変化量が小さいほど液晶素子の応答時間は短くなる。
そのため，ある条件でバックライト光源の消灯期間に液晶素子の立ち上がりや立ち下がりを完了させることができるようにバックライト光源の消灯期間を設定しただけでは，液晶素子の過応答の程度や表示階調の変化量の違いによって液晶素子の応答時間が変動した場合に，バックライト光源の消灯期間に液晶素子の立ち上がりや立ち下がりを完了させることができず，擬似輪郭（動画ブレ）の抑制効果が小さいという問題がある。
従って，本発明は上記事情に鑑みてなされたものであり，その目的とするところは，バックライト光源の消灯期間に液晶素子の立ち上がりや立ち下がりを完了させる構成において，液晶素子の応答時間が変化しても擬似輪郭（動画ブレ）を防止することのできる液晶表示装置を提供することにある。
【課題を解決するための手段】
【０００５】
上記目的を達成するために本発明は，印加電圧により透過率が変化する複数の液晶素子を有する液晶パネルと，前記液晶パネルを背後から照明するバックライト光源と，前記液晶素子への印加電圧を制御することにより該液晶素子の表示階調を制御する液晶駆動制御手段と，前記バックライト光源を間欠点灯させる間欠点灯処理を実行するバックライト制御手段とを備えてなり，前記バックライト制御手段が，前記バックライト光源の消灯期間内に前記液晶パネルにおける一部又は全部の前記液晶素子の立ち上がり及び／又は立ち下がりが終了するように，前記液晶駆動制御手段によって表示階調が制御されるときの前記液晶素子の応答時間に応じて前記間欠点灯処理における前記バックライト光源の消灯期間を制御してなることを特徴とする液晶表示装置として構成される。
本発明によれば，例えば前記液晶素子の過応答の程度や前記表示階調の変化量などによって変化する前記液晶素子の応答時間に追従して，前記バックライト光源の消灯期間内に前記液晶パネルにおける一部又は全部の前記液晶素子の立ち上がりや立ち下がりを終了させることができ，擬似輪郭（動画ブレ）を防止することのできる。
【０００６】
具体的に，前記液晶駆動制御手段が，前記液晶素子の表示階調を変化させるとき，前記液晶素子の表示階調の変化方向の過応答が強くなる印加電圧を該液晶素子に印加するものである場合には，前記バックライト制御手段が，前記液晶素子の応答時間が変化することになる前記液晶駆動制御手段によって制御される前記液晶素子の表示階調の変化方向の過応答の程度に応じて前記間欠点灯処理における前記バックライト光源の消灯期間を制御するものであることが考えられる。
また，前記バックライト制御手段が，前記液晶素子の応答時間が変化することになる前記液晶駆動制御手段によって制御される前記液晶素子の表示階調の前記表示階調の変化量に応じて前記間欠点灯処理における前記バックライト光源の消灯期間を制御するものであることも考えられる。
もちろん，前記バックライト制御手段が，前記液晶素子の応答時間が変化することになる前記液晶駆動制御手段によって制御される前記液晶素子の表示階調の変化方向の過応答の程度及び前記表示階調の変化量に応じて前記間欠点灯処理における前記バックライト光源の消灯期間を制御するものであることも考えられる。
例えば，前記過応答の程度及び／又は前記表示階調の変化量と前記間欠点灯処理における前記バックライト光源の消灯期間との関係を定めた消灯期間設定情報が予め記憶された消灯期間設定情報記憶手段を更に備えてなり，前記バックライト制御手段が，前記消灯期間設定情報記憶手段に記憶された前記消灯期間設定情報と前記過応答の程度及び／又は前記表示階調の変化量とに基づいて前記間欠点灯処理における前記バックライト光源の消灯期間を制御するものであることが考えられる。
ところで，前記バックライト光源が，前記液晶パネルの垂直方向における複数の表示領域に対応して並設された複数の光源を含んでなる場合には，前記バックライト制御手段によって実行される前記間欠点灯処理が，前記複数の光源を順次間欠点灯させるバックライトスキャン処理であり，前記バックライト制御手段が，前記液晶素子の応答時間に応じて前記バックライトスキャン処理における前記バックライト光源の消灯期間を制御するものであることが考えられる。
【発明の効果】
【０００７】
本発明によれば，例えば前記液晶素子の過応答の程度や前記表示階調の変化量などによって変化する前記液晶素子の応答時間に追従して，前記バックライト光源の消灯期間内に前記液晶パネルにおける一部又は全部の前記液晶素子の立ち上がりや立ち下がりを終了させることができ，擬似輪郭（動画ブレ）を防止することのできる。
【図面の簡単な説明】
【０００８】
【図１】本発明の実施の形態に係る液晶表示装置の概略構成を示すブロック図。
【図２】階調対応情報の一例を示す図。
【図３】階調対応情報の一例を示す図。
【図４】階調対応情報の一例を示す図。
【図５】本発明の実施の形態に係る液晶表示装置に設けられたバックライト光源の一例を示す模式図。
【図６】本発明の実施の形態に係る液晶表示装置におけるバックライトスキャン処理の実行結果の一例を説明するための図。
【図７】消灯期間設定情報の一例を示す図。
【図８】液晶素子の階調遷移及びバックライト光源の間欠点灯処理の一例を説明するための図。
【図９】液晶素子の階調遷移及びバックライト光源の間欠点灯処理の一例を説明するための図。
【図１０】液晶素子の階調遷移及びバックライト光源の間欠点灯処理の一例を説明するための図。
【発明を実施するための形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
図１に示すように，本発明の実施の形態に係る液晶表示装置Ｘは，表示制御部１１，液晶パネル２１，液晶駆動部２２（液晶駆動制御手段の一例），バックライト光源３１，バックライト制御部３２（バックライト制御手段の一例）などを有している。
前記液晶表示装置Ｘは，例えばテレビジョン受像機やパソコンに用いられるディスプレイ装置などである。なお，本実施の形態では，本発明に直接影響しない一般的なテレビジョン受像機やディスプレイ装置が備える他の構成要素の説明を省略する。
【００１０】
前記表示制御部１１は，不図示のアンテナによって受信されるテレビジョン放送や不図示の外部入力端子から入力される映像コンテンツなどに含まれた映像信号を受信し，該映像信号に基づいて垂直同期信号や水平同期信号などを生成する。そして，前記映像信号や前記垂直同期信号，前記水平同期信号は，前記表示制御部１１から前記液晶駆動部２２に入力される。また，前記表示制御部１１は，前記垂直同期信号及び前記水平同期信号を前記バックライト制御部３２に入力する。
ここで，前記表示制御部１１は，テレビジョン放送の映像信号の周波数である６０Ｈｚ（１周期約１６．７ｓ）の２倍速の１２０Ｈｚ（１周期約８．３ｓ）の駆動周波数の垂直同期信号を生成する。そして，前記表示制御部１１は，前記映像信号における１フレームの画像を前記液晶駆動部２２に２回ずつ出力し，或いは前記映像信号における連続する２フレームから補間画像を生成してそのフレーム間に挿入して前記液晶駆動部２２に出力する。もちろん，２倍速に限らず４倍速，８倍速などであってもよい。
また，前記表示制御部１１は，前記映像信号の１フレーム毎の前記液晶パネル２１全体の表示階調の変化量の平均（以下，「平均階調変化量」と称する）を算出する平均階調変化量算出機能を有している。例えば，前記表示制御部１１によって具現される前記平均階調変化量算出機能は，少なくとも連続する２フレームにおける液晶素子各々の表示階調を所定の記憶メモリに記憶しており，その液晶素子各々の表示階調の変化量から前記液晶パネル２１全体の平均階調変化量を算出するものである。なお，連続する３フレーム以上の平均階調変化量を算出することも他の実施例として考えられる。また，前記映像信号の１フレーム毎の前記液晶パネル２１の予め設定された一部の領域の平均階調変化量を算出するものであってもよい。
【００１１】
前記液晶パネル２１は，液晶層と該液晶層に走査信号及びデータ信号を印加するための走査電極及びデータ電極とによって形成され，印加電圧により透過率が変化する複数の液晶素子を有する従来周知のアクティブマトリクス型の液晶パネルである。
前記液晶駆動部２２は，前記表示制御部１１から入力される映像信号における１フレームの画像信号と，垂直同期信号及び水平同期信号とに基づいて，前記液晶パネル２１の走査電極（ゲート電極）及びデータ電極（ソース電極）を駆動させる。具体的に，前記液晶駆動部２２は，垂直同期信号の受信後，１ライン目に対応する水平同期信号に応じて走査電極にゲート信号を出力すると共に，１ライン目に対応する画像信号をデータ電極に順次出力する。これにより，１ライン目の画像表示が行われる。その後，前記液晶駆動部２２は，２ライン目に対応する水平同期信号が入力されると，２ライン目の走査電極にゲート信号を出力し，２ライン目に対応する画像信号をデータ電極に順次出力する。その後も同様の処理が繰り返されることにより前記液晶パネル２１の全画面の画像表示が行われる。
このとき，前記液晶駆動部２２は，前記表示制御部１１から入力される前記画像信号に基づいて前記液晶パネル２１の各画素に対応する液晶素子各々への印加電圧を制御することにより，該液晶素子各々の前記バックライト光源３１からの照明の透過率を変化させ，該液晶素子各々の表示階調を制御する。
【００１２】
ここで，前記液晶駆動部２２による前記液晶素子各々の表示階調の制御処理について説明する。
前記液晶駆動部２２は，図２〜図４に示す階調対応情報Ｔ１〜Ｔ３が記憶された不揮発性の記憶メモリ２３（図１参照）を有している。前記液晶駆動部２２は，前記記憶メモリ２３に記憶された前記階調対応情報Ｔ１〜Ｔ３のいずれかに基づいて前記液晶素子への印加電圧を制御する。
ここに，前記階調対応情報Ｔ１〜Ｔ３は，図２〜図４に示すように，前記液晶素子の表示階調の変化前後の組み合わせに対応する印加電圧の指標値となる指標階調が予め設定されたものである。もちろん，前記指標階調に代えて印加電圧の値が設定されていてもよい。なお，本実施の形態に係る前記液晶表示装置Ｘは，０階調が黒，２５５階調が白のノーマリーブラック方式であるとする。即ち，前記液晶素子への印加電圧が高いほど該液晶素子の表示階調の白色度が高まる。
【００１３】
ここで，前記階調対応情報Ｔ１〜Ｔ３では，図２〜図４に示すように，前記液晶パネル２１の液晶素子の表示階調を白色度が高まる方向に変化させる場合の組み合わせに対応する前記指標階調が，そのときの目標階調よりも高い階調に設定されている。また，前記液晶パネル２１の液晶素子の表示階調を白色度が低くなる方向に変化させる場合の組み合わせに対応する前記指標階調も，そのときの目標階調よりも低い階調に設定されている。
従って，前記液晶駆動部２２が前記階調対応情報Ｔ１〜Ｔ３のいずれかを用いて前記液晶素子への印加電圧を制御すると，前記液晶素子の表示階調を変化させるとき，前記液晶素子の表示階調の変化方向の過応答が強くなる印加電圧を該液晶素子に印加することとなり，該液晶素子には過応答（オーバーシュート又はアンダーシュート）が生じることとなる。なお，前記階調対応情報Ｔ１〜Ｔ３における前記指標階調各々は，予め行った実験やシミュレーションの結果に応じて設定しておけばよい。
但し，前記階調対応情報Ｔ１〜Ｔ３は，前記液晶素子への印加電圧の設定値が異なり，即ち前記液晶素子の過応答の程度が異なる。具体的に，前記階調対応情報Ｔ１，Ｔ３に比べて前記階調対応情報Ｔ２の方が前記液晶素子の過応答が大きく，前記階調対応情報Ｔ１，Ｔ２に比べて前記階調対応情報Ｔ３の方が前記液晶素子の過応答が小さい。即ち，前記液晶素子の過応答の程度は，階調対応情報Ｔ３＜階調対応情報Ｔ１＜階調対応情報Ｔ２である。そして，前記液晶素子が現在階調から目標階調に遷移して安定するまでに要する応答時間は，前記液晶素子の過応答の程度が大きいほど長くなるため，該液晶素子の応答時間も同様に，階調対応情報Ｔ３＜階調対応情報Ｔ１＜階調対応情報Ｔ２となる。
【００１４】
例えば，前記階調対応情報Ｔ１では，現在階調が「０」階調で，目標階調が「１２８」階調である場合には，該目標階調である「１２８」階調よりも高い「１３０」階調が前記指標階調として設定されている。また，現在階調が「１２８」階調で，目標階調が「６４」階調である場合には，該目標階調である「６４」階調よりも低い「６０」階調が前記指標階調として設定されている。
一方，前記階調対応情報Ｔ２では，現在階調が「０」階調で，目標階調が「１２８」階調である場合には，該目標階調である「１２８」階調よりも高い「１３５」階調が前記指標階調として設定されている。また，現在階調が「１２８」階調で，目標階調が「６４」階調である場合には，該目標階調である「６４」階調よりも低い「５３」階調が前記指標階調として設定されている。
さらに，前記階調対応情報Ｔ３では，現在階調が「０」階調で，目標階調が「１２８」階調である場合には，該目標階調である「１２８」階調よりも高い「１２９」階調が前記指標階調として設定されている。また，現在階調が「１２８」階調で，目標階調が「６４」階調である場合には，該目標階調である「６４」階調よりも低い「６３」階調が前記指標階調として設定されている。
【００１５】
そして，前記液晶駆動部２２は，例えば前記液晶表示装置Ｘの環境温度に応じて前記階調対応情報Ｔ１〜Ｔ３を切り換えて参照し，前記液晶素子への印加電圧を制御する。このとき，前記液晶表示装置Ｘの環境温度は，該液晶表示装置Ｘに設けられた不図示の温度センサによって検出され，前記表示制御部１１や前記液晶駆動部２２に入力される。
なお，前記階調対応情報Ｔ１〜Ｔ３の切り換えは，前記液晶表示装置Ｘの環境温度に応じて行うものに限らない。例えば，ユーザによる任意の設定によって切り換えられることや，前記液晶表示装置Ｘの使用年数（液晶素子の劣化）に応じて切り換えることなどが考えられる。
また，前記液晶駆動部２２は，前記階調対応情報Ｔ１〜Ｔ３のいずれを用いるかを前記表示制御部１１を介して前記バックライト制御部３２に伝達する。これにより，前記バックライト制御部３２では，前記液晶パネル２１の液晶素子の過応答の程度を知得することができる。
【００１６】
前記バックライト光源３１は，前記液晶パネル２１の背面に配置され，該液晶パネル２１を背後から照明するものである。ここに，図５は，前記バックライト光源３１の構造の一例を示す模式図である。
図５に示すように，前記バックライト光源３１は，前記液晶パネル２１の垂直方向における複数の表示領域に対応して並設された複数のＬＥＤ光源群Ｌ１〜Ｌ１２（複数の光源の一例）を有している。前記ＬＥＤ光源群Ｌ１〜Ｌ１２各々は，前記液晶パネル２１の水平方向に並設された複数のＬＥＤ光源３１ａを含んでいる。また，前記ＬＥＤ光源群Ｌ１〜Ｌ１２各々に対応する前記表示領域各々は，前記液晶パネル２１の複数ラインの表示画素を含む領域である。
前記バックライト光源３１は，前記バックライト制御部３２からの制御指示に応じて，多数の前記ＬＥＤ光源３１ａを前記ＬＥＤ光源群Ｌ１〜Ｌ１２の各単位で個別に明滅させる。なお，前記ＬＥＤ光源群Ｌ１〜Ｌ１２の数はこれに限らず，前記液晶パネル２１のサイズに応じて適宜設計変更すればよい。また，前記バックライト光源３１は，前記ＬＥＤ光源群Ｌ１〜Ｌ１２に代えて前記液晶パネル２１の垂直方向に並設された複数の蛍光管（複数の光源の一例）を有するものであってもよい。
【００１７】
前記バックライト制御部３２は，前記液晶駆動部２２による画像信号の書き込み動作に連動して，１フレーム期間内（１垂直期間内）に前記バックライト光源３１の前記ＬＥＤ光源３１ａを前記ＬＥＤ光源群Ｌ１〜Ｌ１２ごとに順次間欠点灯させるバックライトスキャン処理（間欠点灯処理の一例）を実行する。
ここで，１フレーム期間とは，前記液晶パネル２１に１フレームの画像を表示するための期間，即ち垂直同期信号の間隔である。従って，前記液晶パネル２１の画像書き込み速度（駆動周波数）が１２０Ｈｚ（いわゆる倍速液晶）である前記液晶表示装置Ｘにおいて，１フレーム期間は約８．３ｍｓである。もちろん，前記液晶パネル１５の駆動周波数は，６０Ｈｚや２４０Ｈｚなどであってもよい。
なお，前記バックライト制御部３２による前記バックライトスキャン処理の実行の有無は，例えば不図示のリモコンや前記液晶表示装置Ｘの本体に設けられた操作キーのユーザ操作に応じて前記表示制御部１１によって切り換えることが可能である。また，前記表示制御部１１が表示映像の内容などに応じて自動的に前記バックライトスキャン処理の実行の有無を切り換えるものであってもよい。
【００１８】
ここで，図６を参照しつつ，前記バックライトスキャン処理の基本的な処理内容について説明する。ここに，図６は，前記バックライトスキャン処理の実行結果の一例を説明するための模式図であって，（ａ）は垂直同期信号，（ｂ）は画像信号，（ｃ）はバックライト光源３１の動作をしめしている。
図６に示すように，前記バックライト制御部３２によって前記バックライトスキャン処理が実行されると，前記垂直同期信号（図６（ａ）参照）が受信された後，前記ＬＥＤ光源群Ｌ１〜Ｌ１２各々は，対応する表示領域の１フレームの画像信号（図６（ｂ）参照）の画像書き込み開始から約４．１ｍｓ（１フレームの５０％）消灯した後，約４．１ｍｓ（１フレームの５０％）点灯する。これにより，擬似的にインパルス駆動が実現されるため，動画表示の動きぼやけを防止することができる。
ここで，前記バックライト制御部３２は，前記バックライトスキャン処理において，前記液晶駆動部２２による画像信号の書き込みに連動して行われる。
【００１９】
具体的に，前記バックライト制御部３２は，垂直同期信号の受信後，一列目の水平同期信号が入力されることにより，一列目のＬＥＤ光源群Ｌ１を約４．１ｍｓ消灯させ，その後，約４．１ｍｓ点灯させる。
また，前記バックライト制御部３２は，前記垂直同期信号の受信後，前記ＬＥＤ光源群Ｌ１に対応する前記液晶パネル２１の表示領域に存在するライン数分の水平同期信号の受信に応じて，前記ＬＥＤ光源群Ｌ２を約４．１ｍｓ消灯させ，その後，約４．１ｍｓ点灯させる。
同じく，前記バックライト制御部３２は，前記垂直同期信号の受信後，前記ＬＥＤ光源群Ｌ１，Ｌ２に対応する前記液晶パネル２１の表示領域に存在するライン数分の水平同期信号の受信に応じて，更に次のＬＥＤ光源群Ｌ３が約４．１ｍｓ消灯させ，その後，約４．１ｍｓ点灯させる。
その後も同様の処理が繰り返されることにより，前記ＬＥＤ光源群Ｌ１〜Ｌ１２は，各々が対応する前記液晶パネル２１の複数ラインの液晶素子の走査に同期して順次明滅される。
【００２０】
本発明の実施の形態に係る前記液晶表示装置Ｘは，前記バックライトスキャン処理における前記バックライト光源３１の消灯期間を前記液晶素子の応答時間に応じて制御する点に特徴を有している。
具体的に，前記バックライト制御部３２は，図７に示す消灯期間設定情報Ｔ１１が予め記憶された記憶メモリ３３（図１参照，消灯期間設定情報記憶手段の一例）を有している。
前記消灯期間設定情報Ｔ１１では，前記液晶素子の過応答の程度及び前記平均階調変化量と前記バックライトスキャン処理（間欠点灯処理）における前記バックライト光源３１の消灯期間との関係が定められている。
ここで，前記消灯期間設定情報で定められた前記消灯期間は，前記液晶素子の過応答の程度及び前記平均階調変化量の内容ごとに対応して，前記液晶素子の立ち上がりや立ち下がりまでの応答時間が前記バックライト光源３１の消灯期間内に終了する時間として定められたものである。ここに，前記液晶素子の応答時間は，前記液晶素子の過応答の程度や前記平均階調変化量によって変化する。そこで，前記消灯期間設定情報Ｔ１１では，前記消灯期間が，前記液晶素子の過応答の程度が大きく該液晶素子の応答時間が長いほど長く，前記平均階調変化量が大きく前記液晶素子の応答時間が長いほど長くなるように定められている。
そして，前記バックライト制御部３２は，前記記憶メモリ３３に記憶された消灯期間設定情報Ｔ１１を参照し，前記液晶駆動部２２によって表示階調が制御されるときの前記液晶素子の過応答の程度や前記平均階調変化量によって変化する前記液晶素子の応答時間に応じて，前記バックライト光源３１の消灯期間内に前記液晶素子の立ち上がりや立ち上がりが終了するように，前記バックライト処理における前記バックライト光源３１の消灯期間を制御する。例えば，前記バックライト制御部３２は，前記液晶表示装置Ｘに設けられた不図示のクロック発生器によって生成される高周波のクロック信号に従って前記バックライト光源３１の間欠点灯を制御するものである。この場合，前記バックライト制御部３２は，前記間欠点灯における消灯タイミング及び点灯タイミングを計るための前記クロック信号のカウント数を変更することなどによって前記消灯期間の長短を調整することができる。これにより，例えば映像信号の垂直同期信号の整数倍の周期で前記バックライト光源３１の明滅を制御するような場合に比べて緻密な制御を行うことが可能である。
なお，前記液晶素子の過応答の程度及び前記平均階調変化量のいずれか一方による前記液晶素子の応答時間の変化に応じて前記バックライト処理における前記バックライト光源３１の消灯期間を制御することも他の実施例として考えられる。
【００２１】
以下，図８〜図１０を用いて，前記液晶表示装置Ｘで行われる前記液晶素子の階調遷移及び前記バックライト光源３１のバックライトスキャン処理の一例について説明する。なお，図８〜図１０において（ａ）は前記液晶パネル２１に設けられたある液晶素子に対応する階調信号（印加電圧を定める指標値），（ｂ）は前記液晶素子の実際の表示階調の遷移，（ｃ）は前記バックライト光源３１のＯＮ／ＯＦＦ（点灯及び消灯）を示している。
ここでは，図８（ｂ），図９（ｂ），図１０（ｂ）各々に示すように，ある液晶素子の表示階調を，１フレーム目で「０」階調から「１２８」階調まで遷移させ，その後，２フレーム目で「１２８」階調から「６４」階調に遷移させる場合であって，１フレーム目に対応する前記液晶パネル２１全体の平均階調変化量が「１２８」，２フレーム目に対応する前記液晶パネル２１全体の平均階調変化量が「６４」である場合を例に挙げて説明する。
【００２２】
まず，図８を参照しつつ，前記階調対応情報Ｔ１を用いる場合について説明する。
前記液晶駆動部２２は，現在入力されている１フレームの画像信号と一つ前に入力されていた１フレームの画像信号とを比較することにより前記液晶素子各々の現在階調と目標階調との組み合わせ（変化前後の組み合わせ）を検出し，その組み合わせに対応する印加電圧を前記階調対応情報Ｔ１から抽出して前記液晶素子に供給する。そのため，前記液晶駆動部２２は，少なくとも一つ前の１フレームの画像信号を保持している。
ここでは，現在階調が「０」，目標階調が「１２８」であるため，前記液晶駆動部２２は，これらの組み合わせに対応する指標階調である「１３０」を前記階調対応情報Ｔ１から抽出する。そして，前記液晶駆動部２２は，前記液晶素子に指標階調「１３０」に応じた印加電圧を供給し（図８（ａ）参照），該液晶素子の表示階調を変化させる（図８（ｂ）参照）。そして，前記液晶駆動部２２は，前記目標階調である「１２８」に応じた印加電圧を前記液晶素子に供給する（図８（ａ）参照）。
このとき，前記液晶素子の表示階調は，図８（ｂ）に示すように，過応答（オーバーシュート）により「１２８」階調を超えた後，「１２８」階調まで下がって安定することとなる。そのため，前記液晶素子の過応答の程度が大きいほど該液晶素子が目標階調に安定するまでの応答時間が長くなり，前記液晶素子の過応答の程度が小さいほど応答時間が短くなる。
【００２３】
そして，前記液晶素子の表示階調の遷移時に前記バックライト光源３１が点灯していると，前記液晶パネル２１に表示される映像に擬似輪郭（動画ズレ）などが生じるおそれがある。
そこで，前記バックライト制御部３２は，図８（ｃ）に示すように，前記液晶素子の表示階調の遷移が終了するまでの間，即ち前記液晶素子の立ち上がりや立ち下がりまでの応答時間が経過するまでの間は，前記バックライト光源３１を消灯させている。
具体的に，前記バックライト制御部３２は，１フレーム目については，前記液晶駆動部２２が前記階調対応情報Ｔ１を用いていること及び前記平均階調変化量が「１２８」であることと，前記消灯期間設定情報Ｔ１１（図７参照）とに基づいて，即ち前記液晶素子の応答時間が変化することになる前記液晶素子の過応答の程度及び前記平均階調変化量に応じて，前記バックライト光源３１の消灯期間を「４．７ｓ」に設定する。これにより，前記液晶パネル３１に設けられた液晶素子のうち表示階調の変化量が前記平均階調変化量以下である一部の液晶素子については，立ち上がりや立ち下がりが前記バックライト光源３１の消灯期間内に行われることとなる。なお，前記バックライト制御部３２は，前記消灯期間が延長された分だけ，前記バックライト光源３１の点灯期間を短縮する。
【００２４】
次に，２フレーム目については，現在階調が「１２８」，目標階調が「６４」であるため，前記液晶駆動部２２は，これらの組み合わせに対応する指標階調である「６０」を前記階調対応情報Ｔ１から抽出する。そして，前記液晶駆動部２２は，前記液晶素子に指標階調「６０」に応じた印加電圧を供給し（図８（ａ）参照），該液晶素子の表示階調を変化させる（図８（ｂ）参照）。そして，前記液晶駆動部２２は，前記目標階調である「６４」に応じた印加電圧を前記液晶素子に供給する（図８（ａ）参照）。
このとき，前記液晶素子の表示階調は，図８（ｂ）に示すように，過応答（アンダーシュート）により「６４」階調を超えた後，「６４」階調まで上がって安定することとなる。そのため，前記液晶素子の過応答の程度が大きいほど該液晶素子が目標階調に安定するまでの応答時間が長くなり，前記液晶素子の過応答の程度が小さいほど応答時間が短くなる。
そこで，前記バックライト制御部３２は，２フレーム目についても，前記液晶駆動部２２が前記階調対応情報Ｔ１を用いていること及び前記平均階調変化量が「６４」であることと，前記消灯期間設定情報Ｔ１１（図７参照）とに基づいて，前記バックライト光源３１の消灯期間を「４．５ｓ」に設定する。これにより，前記液晶パネル３１に設けられた液晶素子のうち表示階調の変化量が前記平均階調変化量以下である一部の液晶素子については，立ち上がりや立ち下がりが前記バックライト光源３１の消灯期間内に行われることとなる。
【００２５】
一方，図９に示すように，前記階調対応情報Ｔ２を用いる場合には，前記液晶素子の過応答の程度が前記階調対応情報Ｔ１を用いる場合に比べて大きくなるため，該液晶素子の応答時間も長くなる。
そのため，前記階調対応情報Ｔ２を用いる場合には，前記バックライト制御部３２は，１フレーム目については，前記液晶駆動部２２が前記階調対応情報Ｔ２を用いていること及び前記平均階調変化量が「１２８」であることと，前記消灯期間設定情報Ｔ１１（図７参照）とに基づいて，前記バックライト光源３１の消灯期間を「４．９ｓ」に設定する。また，２フレーム目については，前記バックライト制御部３２は，前記液晶駆動部２２が前記階調対応情報Ｔ２を用いていること及び前記平均階調変化量が「６４」であることと，前記消灯期間設定情報Ｔ１１（図７参照）とに基づいて，前記バックライト光源３１の消灯期間を「４．７ｓ」に設定する。
【００２６】
また，図１０に示すように，前記階調対応情報Ｔ３を用いる場合には，前記液晶素子の過応答の程度が前記階調対応情報Ｔ１を用いる場合に比べて小さくなるため，該液晶素子の応答時間も短くなる。
そのため，前記階調対応情報Ｔ３を用いる場合には，前記バックライト制御部３２は，１フレーム目については，前記液晶駆動部２２が前記階調対応情報Ｔ３を用いていること及び前記平均階調変化量が「１２８」であることと，前記消灯期間設定情報Ｔ１１（図７参照）とに基づいて，前記バックライト光源３１の消灯期間を「４．５ｓ」に設定する。また，２フレーム目については，前記バックライト制御部３２は，前記液晶駆動部２２が前記階調対応情報Ｔ２を用いていること及び前記平均階調変化量が「６４」であることと，前記消灯期間設定情報Ｔ１１（図７参照）とに基づいて，前記バックライト光源３１の消灯期間を「４．３ｓ」に設定する。
【００２７】
このように，前記液晶表示装置Ｘでは，前記液晶駆動部２２が前記階調対応情報Ｔ１〜Ｔ３のいずれを用いて前記液晶パネル２１の表示階調を制御する場合であっても，前記液晶パネル３１に設けられた液晶素子のうち表示階調の変化量が前記平均階調変化量以下である一部の液晶素子については，立ち上がりや立ち下がりが前記バックライト光源３１の消灯期間内に行われることとなり，表示階調の遷移が表示されないこととなる。従って，前記液晶素子の白光りを抑制しつつ，暗くなりすぎて視認性が低下するという問題を改善することができると共に，前記液晶パネル２１の表示映像の動画ブレを抑制することができる。
【００２８】
また，前記平均階調変化量に代えて，前記液晶パネル２１の映像全体において前後のフレーム間の輝度差（階調変化量）が最も大きい液晶素子のその階調変化量を基準に，前記消灯期間設定情報Ｔ１１を用いて前記バックライト光源３１の消灯期間を定めれば，前記液晶パネル２１における全部の液晶素子の立ち上がりや立ち下がりを前記バックライト光源３１の消灯期間内に行うことができる。
さらに，前記バックライト制御部３２が，前記バックライト光源３１のバックライトスキャン処理における消灯時間を，前記液晶パネル２１の表示領域を垂直方向に複数に分割した所定の映像領域ごとに変更することも考えられる。この場合には，前記所定の映像領域ごとに該所定の映像領域における前後のフレーム間の階調変化量に応じて前記バックライトスキャン処理における消灯時間を変更することが考えられる。これにより，前記所定の映像領域ごとに適した消灯時間を設定することができ，映像のブレを改善することができる。
例えば，前記液晶パネル２１の表示領域を垂直方向に６つの映像領域に分割した場合，その６つの映像領域ごとに，該映像領域において前後のフレーム間の階調階調変化量が最も大きい画素に注目し，その画素の階調変化量が大きいほど前記バックライトスキャン処理における消灯時間を長くし，該階調変化量が小さいほど前記バックライトスキャン処理における消灯時間を短くする前記バックライトスキャン処理における消灯時間を変更することが考えられる。もちろん，その６つの映像領域ごとに平均階調変化量を算出し，該映像領域ごとにその平均階調変化量に応じて前記消灯時間を変更してもよい。
【００２９】
なお，前記液晶駆動部２２による前記液晶素子への印加電圧の制御手法は，前記階調対応情報Ｔ１〜Ｔ３を用いるものに限らず，前記液晶素子の表示階調の変化前後の組み合わせに対して所定の演算を行うことにより前記液晶素子への印加電圧を制御することも考えられる。
また，同様に前記液晶素子の過応答の程度や前記液晶素子の表示階調の変化量に対して所定の演算を行うことにより，前記バックライトスキャン処理における前記液晶素子の消灯期間を算出することも考えられる。
さらに，本実施の形態では，前記バックライト光源３１のＬＥＤ光源３１ａ各々を前記ＬＥＤ光源群Ｌ１〜Ｌ１２ごとに明滅させる構成を例に挙げて説明したが，全ての前記ＬＥＤ光源３１ａを同時に明滅させる間欠点灯処理についても本発明を適用することが可能である。
また，本発明は，前記液晶素子の表示階調を現状よりも白色度が高い表示階調に変化させる場合，又は前記液晶素子の表示階調を現状よりも白色度が低い表示階調に変化させる場合のいずれか一方だけで，前記液晶素子を過応答（オーバーシュート又はアンダーシュート）させる構成についても適用可能である。
なお，本実施の形態では，前記液晶表示装置Ｘがノーマリーブラック方式である場合を例に挙げて説明したが，ノーマリーホワイト方式である場合にも本発明を適用し得る。この場合には，前記バックライトスキャン処理が実行されるときは，通常の印加電圧よりも前記液晶素子の白色度が高くなるように低い値に設定された印加電圧がオーバーシュート電圧として前記液晶素子に供給すればよい。
【産業上の利用可能性】
【００３０】
本発明は，テレビジョン受像機やディスプレイ装置などの液晶表示装置への利用が可能である。
【符号の説明】
【００３１】
１１…表示制御部
２１…液晶パネル
２２…液晶駆動部
２３…記憶メモリ
３１…バックライト光源
３２…バックライト制御部
Ｌ１〜Ｌ１２…ＬＥＤ光源群
Ｘ…液晶表示装置
【図１】
2011075800.tif 000003
【図２】
2011075800.tif 000004
【図３】
2011075800.tif 000005
【図４】
2011075800.tif 000006
【図５】
2011075800.tif 000007
【図７】
2011075800.tif 000008
【図６】
2011075800.tif 000009
【図８】
2011075800.tif 000010
【図９】
2011075800.tif 000011
【図１０】
2011075800.tif 000012